(57)【要約】      （修正有）【解決手段】画像情報の読取りに用いる内蔵されたカメラモジュールと、そのカメラモジュールで読み取った映像データの受取りに用いる必要な電気的接続及び転送プロトコルを含むデータ伝送インタフェイスを有する画像受取モジュールと、その読取った指紋情報を画像受取モジュールに伝送するデータ伝送インタフェイスに相容れる指紋情報読取モジュールとを備える指紋情報読取用の手持装置とする。【効果】データ伝送インタフェイスを介して、内蔵されたカメラモジュールを有する手持装置に容易に統合されるとともに、その指紋情報読取ジュールを手持装置に統合されてなる複雑性が多く低減された。【選択図】図３
2006314767.tif 000002
【特許請求の範囲】
【請求項１】
画像情報を読取るために用いる内蔵されたカメラモジュールと、
少なくとも１つの画像情報の受取りに必要な転送プロトコルを含み、カメラモジュールに対して指令出しと状態の相互交換とを行うために用いる信号制御ピン組と、カメラモジュールの画像情報を受け取るために用いる画像信号ピン組を有するデータ伝送インタフェイスを備える画像受取モジュールと、
少なくとも１つ指紋情報を読取るために用い、画像受取モジュールに電気的に接続され、そのカメラモジュールと画像受取モジュールとの間にある転送プロトコルを含むデータ伝送インタフェイスに相容れ、少なくとも１つ指紋情報が、データ伝送インタフェイスによって、画像受取モジュールに伝送される指紋情報読取モジュールと、
備えることを特徴とする指紋情報読取用の手持装置。
【請求項２】
画像受取モジュールの転送プロトコルは、少なくとも内蔵されたカメラモジュール及び指紋情報読取ジュールの識別コードを備えることを特徴とする請求項１記載の指紋情報読取用の手持装置。
【請求項３】
指紋情報読取モジュールは、あらかじめアドレッシングされ、外部からの読取りまたは修正のために用いるレジスタテーブルを備え、画像受取モジュールが指令出しと状態の相互交換とを行うために用いることに供することを特徴とする請求項１記載の指紋情報読取用の手持装置。
【請求項４】
画像受取モジュールの転送プロトコルは、少なくとも仕事クロックパルスと、水平同期信号及び垂直同期信号とを備えることを特徴とする請求項１記載の指紋情報読取用の手持装置。
【請求項５】
信号制御ピン組は、少なくとも２つの命令/状態伝送線を備え、画像受取モジュールは、シリアル方式で少なくとも２つの命令/状態伝送線によって、内蔵されたカメラモジュールまたはその指紋情報読取モジュールに対して命令出しと状態の相互交換とを行うことを特徴とする請求項１記載の指紋情報読取用の手持装置。
【請求項６】
指紋情報読取モジュールは、手持装置を確認するための識別コードを有することを特徴とする請求項１記載の指紋情報読取用の手持装置。
【請求項７】
指紋情報読取モジュールは、平面型指紋情報読取モジュールであることを特徴とする請求項１記載の指紋情報読取用の手持装置。
【請求項８】
指紋情報読取モジュールは、リニア型指紋情報読取モジュールであることを特徴とする請求項１記載の指紋情報読取用の手持装置。
【請求項９】
手持装置は、携帯電話、携帯情報端末の装置であることを特徴とする請求項１記載の指紋情報読取用の手持装置。
【請求項１０】
内蔵されたカメラモジュールは、マイクロカメラモジュールのカメラモジュールであることを特徴とする請求項１記載の指紋情報読取用の手持装置。
【請求項１１】
メモリストレージモジュールは、画像受取モジュールに内蔵されること、及び、画像受取モジュールの外部に接続されることを特徴とする請求項１記載の指紋情報読取用の手持装置。
【請求項１２】
少なくとも画像受取モジュールに電気的に接続されるプロセッサーモジュールと、
少なくともプロセッサーモジュールに電気的に接続され、画像受取モジュールで受け取った画像情報と指紋情報とを収納するために用いるメモリストレージモジュールと、
をさらに備えることを特徴とする請求項１記載の指紋情報読取用の手持装置。
【請求項１３】
プロセッサーモジュールは、後端プロセッサーIC、デジタル信号プロセッサーまたはベースバンドプロセッサーであることを特徴とする請求項１２記載の指紋情報読取用の手持装置。
【発明の詳細な説明】
【技術分野】
【０００１】
本発明は、指紋(fingerprint)情報読取用の手持装置に関する。特に、内蔵されたカメラモジュールと画像受取モジュールとの間にあるデータ伝送インタフェイスを介して、指紋情報を画像受取モジュールに伝送する指紋情報読取用の手持装置に関する。
【背景技術】
【０００２】
近年、半導体技術の進歩のため、手持電子装置が日常生活に徐々に普及している。デジタル情報技術の発展及びコンピューター、インターネット通信の普及及び大衆化に伴い、個人認識システムがコンピューター、インターネット、携帯電話、人の出入制御、乗物、電子商取引、クレジットカード、キャッシュカード、医療記録等に統合されて、デジタル身元確認が行われており、これは未来の使用傾向である。
【０００３】
さらに、指紋の相互比較は、身元確認に対する方法に重要である。演算法の処理を介する指紋の相互比較は、極短時間で大量の身元確認を完了することが可能である。図１は、従来の内蔵されたカメラモジュール及び指紋情報読取ジュールを有する中高性能携帯電話(mid-end/high-end phone)またはスマート携帯電話(smart phone)の機能ブロック図である。この図から分かるように、従来の中高性能携帯電話またはスマート携帯電話は、内蔵されたカメラモジュール1a、画像受取モジュール2a、ベースバンド（マイクロ）プロセッサー(baseband CPU)3a、指紋情報読取ジュール4a、メモリバス(memory bus)5a、シリアル周辺インタフェイス(Serial Peripheral Interface,SPI)バス6a及びメモリストレージモジュール7aを備える。
【０００４】
その中に、このマイクロカメラモジュール1aは、少なくとも１つの画像情報を読み取る。また、画像受取モジュール2aはデータ伝送インタフェイス20aを有し、データ伝送インタフェイス20aがその少なくとも１つの画像情報の受取りに必要な転送プロトコル(protocol)を含む。さらに、データ伝送インタフェイス20aが、マイクロカメラモジュール1aに対して指令出しと状態の相互交換とを行うために用いる信号制御ピン組21aと、マイクロカメラモジュール1aの画像情報を受け取るために用いる画像信号ピン組22aを有する。こうして、少なくとも１つの画像情報は、転送プロトコルを含むデータ伝送インタフェイス20aを介して、画像受取モジュール2aに転送される。また、そのベースバンドプロセッサー3aは、画像受取モジュール2a及びメモリストレージモジュール7aに電気的に接続され、画像受取モジュール2aで受け取った画像情報に対して、次の別処理または応用を行う。
【０００５】
さらに、従来の指紋情報読取ジュール4aは、パラレル(parallel)またはシリアルのようなメモリバス5aまたはシリアル周辺インタフェイスバス6aを介して、ベースバンドプロセッサー3aに電気的に接続される。こうして、指紋情報読取モジュール4aで読取った指紋情報は、メモリバス5aまたはシリアル周辺インタフェイスバス6aを介して、ベースバンドプロセッサー3aに伝送され、指紋情報での次の別処理または使用が行われる。
【０００６】
図２は従来のカメラモジュール及び指紋情報読取モジュールが内蔵される携帯情報端末(PDA)または携帯情報端末電話(PDA phone)の機能ブロック図である。この図から分かるように、従来のカメラモジュール及び指紋情報読取モジュールが内蔵される携帯情報端末または携帯情報端末電話と、中高性能携帯電話またはスマート携帯電話との異なる点は、ベースバンドプロセッサー3aの使用に代えて、システムプロセッサー(system CPU)8aを用いる。
【０００７】
しかしながら、従来の指紋情報読取モジュール4aはメモリバス5aまたはシリアル周辺インタフェイスバス6aを介して、指紋情報をシステムプロセッサー8aに伝送するが、そのメモリバス5aがもともとメモリストレージモジュール7a間に、データを伝送するように設計されていたため、画像周辺設備の特性に合わない。一方、シリアル周辺インタフェイスバス6aは、情報の伝送速度が遅くなるために、ユーザーの要求が満足されない。また、指紋情報読取モジュール4aと、ベースバンドマイクロプロセッサー3aまたはシステムプロセッサー8aとの間を統合する共通の転送プロトコルが存在しないために、システムの統合が困難で複雑となる。
【０００８】
以上から分かるように、上記従来の指紋情報読取モジュール4aと、ベースバンドプロセッサー3aまたはシステムプロセッサー8aとの間の統合は、実際に不便と欠陥が存在し、改善が必要である。
【０００９】
本発明者は不便と欠陥を解決するために、長期間の研究経験で、理論に基づき、設計の合理化で改善の効率化に応じて、本発明を提出した。
【発明の開示】
【００１０】
前記した技術における問題を解決するために、本発明として、指紋情報読取用の手持装置を提供した。本発明は非直接方式を採用し、指紋情報読取モジュールの伝送インタフェイスが、内蔵されたカメラモジュールと画像受取モジュールとの間にあるインタフェイスに設計され、その指紋情報読取モジュールが容易に、内蔵されたカメラモジュールを有する手持装置に統合される。従って、その指紋情報読取モジュールが手持装置に統合される複雑性は低減された。
【００１１】
前記した技術の問題を解決するために、本発明の１つの方式によれば、カメラモジュール、画像受取モジュール、指紋情報読取ジュールとを備える指紋情報読取用の手持装置が提供される。内蔵されたカメラモジュールは、その少なくとも１つの画像情報を読取るために用いる。その画像受取モジュールはデータ伝送インタフェイスを有し、データ伝送インタフェイスが少なくとも１つの画像情報の受取りに必要な転送プロトコルを含む。さらに、データ伝送インタフェイスは、カメラモジュールに対して指令出しと状態の相互交換とを行うために用いる信号制御ピン組と、カメラモジュールの画像情報を受取るために用いる画像信号ピン組を有する。その指紋情報読取ジュールが少なくとも１つ指紋情報を読取るために用いる。その指紋情報読取ジュールは、画像受取モジュールに電気的に接続され、そのカメラモジュールと、その画像受取モジュールとの間に相容れる転送プロトコルを含むデータ伝送インタフェイスにより、少なくとも１つの指紋情報が画像受取モジュールに伝送される。
【００１２】
また、この手持装置はプロセッサーモジュールとメモリストレージモジュールとをさらに備える。そのプロセッサーモジュールが画像受取モジュールに電気的に接続され、メモリストレージモジュールが少なくとこのプロセッサーモジュールに電気的に接続され、画像受取モジュールで受取った画像情報と指紋情報を収納するために用いる。
【００１３】
本発明における予定目的を達成する技術、手段及び効能をより一層理解するため、本発明に関する詳細な説明と図面を参照されて、本発明における目的、特徴がより深く具体的に理解できると思う。なお、この出願に添付された図面は参照あるいは説明に用いだけで、本発明に対する制限ではない。
【発明を実施するための最良の形態】
【００１４】
図３は指紋情報読取用の手持装置の機能ブロック図である。図３から分かるように、本発明は指紋情報読取用の手持装置として提供された。この指紋情報読取用の手持装置は、内蔵されたカメラモジュール1、画像受取モジュール2及び指紋情報読取ジュール3を備える。その手持装置は、携帯電話、携帯情報端末または手持式(handheld)、携帯式(portable)のいずれかであることができる装置である。
【００１５】
その内蔵されたカメラモジュール1は、マイクロカメラモジュール(Compact Camera Module, CCM)または少なくとも１つの画像情報の読取りのいずれかであることができるカメラモジュールである。その画像受取モジュール2がデータ伝送インタフェイス20を有する。さらに、データ伝送インタフェイス20はその少なくとも１つの画像情報の受取りに必要な転送プロトコルを含む。その転送プロトコルは、少なくとも内蔵されたカメラモジュールと指紋情報読取ジュールとを確認するために用いる識別コードを備える。
【００１６】
また、データ伝送インタフェイス20は、マイクロカメラモジュールに対して指令を出し状態を互いに交換するために用いる信号制御ピン組21と、マイクロカメラモジュールの画像情報を受取るために用いる画像信号ピン組22を有する。その信号制御ピン組21は、少なくとも仕事(task)クロックパルスと、少なくとも２つの命令/状態伝送線で制御される水平同期信号及び垂直同期信号とを備え、画像受取モジュールがシリアル方式で少なくとも２つの命令/状態伝送線によって、内蔵されたカメラモジュール1またはその指紋情報読取モジュール3に対して命令出しと状態の相互交換とを行う。即ち、まず画像受取モジュール2は、データ伝送インタフェイス20の信号制御ピン組21によって、指令(command)を、内蔵されたカメラモジュール1に出し、内蔵されたカメラモジュールの識別コードを確認する。確認した後に、その内蔵されたカメラモジュール1が画像情報を読取った後、そのカメラモジュール1が信号制御ピン組21によって画像受取モジュール2に読取りを通知し、画像受取モジュール2が信号制御ピン組21によって画像情報を受取る。あるいは確認した後に、その画像受取モジュール2が、信号制御ピン組21によって、内蔵されたカメラモジュール1に読取り要求を通知し、内蔵されたカメラモジュール1が画像信号ピン組22によって、カメラモジュールで読取った画像情報を画像受取モジュール2に伝送する。この後、関連する画像処理が行われる。
【００１７】
さらに、この指紋情報読取モジュール3は少なくとも指紋情報を読取るために用いる。その指紋情報読取モジュール3が手持装置を確認するための識別コードを有する。その指紋情報読取モジュール3は、平面型（Area type）指紋情報読取モジュールまたはリニア型(Linear type)指紋情報読取モジュールであることが可能である。また、その指紋情報読取モジュール3は、あらかじめアドレッシングされ、外部からの読取りまたは修正のために用いるレジスタテーブル(Register Table)を備え、画像受取モジュール2が指令出しと状態の相互交換とを行うために用いることに供する。
【００１８】
また、その指紋情報読取モジュール3は、画像受取モジュール2に電気的に接続され、カメラモジュール1と画像受取モジュール2との間にある転送プロトコルを含むデータ伝送インタフェイス20に相容れ（整合(matching)し）、少なくとも指紋情報をデータ伝送インタフェイスを介して画像受取モジュール2に伝送する。即ち、その指紋情報読取モジュール3は、カメラモジュール1と画像受取モジュール2との間において既に含まれたデータ伝送インタフェイス20及びその転送プロトコルを介して、指紋情報を画像受取モジュール2に伝送することが可能である。要するに、ユーザがその指紋情報読取モジュール3と画像受取モジュール2の両者間の伝送インタフェイス及びその転送プロトコルを新たに設計または修正する必要なく、既に統合完成されたデータ伝送インタフェイス及びその転送プロトコルを介し、両方識別コードの確認で、その指紋情報読取モジュール3で読取った指紋画像を受け取る。
【００１９】
一方、本発明の手持装置は、プロセッサーモジュール4とメモリストレージモジュール5とをさらに備える。プロセッサーモジュール4は少なくとも画像受取モジュール2に電気的に接続され、メモリストレージモジュール5は少なくともプロセッサーモジュール4に電気的に接続され、画像受取モジュール2で受取った画像情報または指紋情報を収納するために用いる。また、そのプロセッサーモジュール4は、後端プロセッサーIC(Backend IC)、デジタル信号プロセッサー(DSP)またはベースバンドプロセッサーであることが可能である。また、プロセッサーモジュール4は、画像受取モジュール2内に内蔵されること、及び、画像受取モジュール2の外部に接続されることが可能である。
【００２０】
以上から分かるように、本発明は非直接の方法が採用され、指紋情報読取モジュール3のインタフェイスを、内蔵されたカメラモジュール1と画像受取モジュール2との間にある伝送インタフェイスに設計され、指紋情報読取モジュール3が容易に、内蔵されたカメラモジュール１を有する手持装置に統合される。その指紋情報読取ジュール３を手持装置に統合されてなる複雑性が多く低減された。
【００２１】
従って、本発明は新型の製品を提供され、新規性と進歩性を備える。
【００２２】
上記は、本発明の最良実施例における詳しい説明と図面である。ただ当発明の特徴は、これに制限されず、それによって決して当発明を制限することなく、当発明のすべての請求範囲は特許請求の範囲を基準とする。その他の様々な改良を行うことができるが、これらの改良したものは依然として当発明の精神に合致し、特許請求の範囲に属する。当業者が本創作の精神にしたがって適切な修飾や変化を与えるものは、全て特許請求の範囲に属する。
【図面の簡単な説明】
【００２３】
【図１】従来の内蔵されたカメラモジュール及び指紋情報読取ジュールを有する中高性能携帯電話またはスマート携帯電話の機能ブロック図である。
【図２】従来のカメラモジュール及び指紋情報読取モジュールが内蔵される携帯情報端末または携帯情報端末電話の機能ブロック図である。
【図３】本発明の指紋情報読取用の手持装置の機能ブロック図である。
【符号の説明】
【００２４】
1：内蔵されたカメラモジュール
2：画像受取モジュール
3：指紋情報読取ジュール
4：プロセッサーモジュール
5：メモリストレージモジュール
20：データ伝送インタフェイス
21：信号制御ピン組
22：画像信号ピン組
【図１】
2006314767.tif 000003
【図２】
2006314767.tif 000004
【図３】
2006314767.tif 000005